(57)【要約】【課題】原稿画像の副走査方向における光源の光量の変動を除去したシェーディング補正処理を実行する画像読取装置を提供する。【解決手段】光源の白基準板からの反射光に基づき生成された基準データを、ライン補正部３４から出力される画像データにおけるＧ成分に基づき変更し、変更された基準データに基づき、原稿画像からの反射光に基づき取得した画像データを、シェーディング補正部３５ａ，３５ｂ，３５ｃにより補正する。【選択図】　　　　図４
2004134987.tif 000002
【特許請求の範囲】
【請求項１】
原稿載置台下に設けられた白基準板と、該白基準板及び前記原稿載置台に載置された原稿を照射する光源と、該光源による前記白基準板及び原稿からの反射光を複数の色成分毎に取得する取得手段と、該取得手段が取得した前記白基準板からの反射光に基づき複数の色成分を有する基準データを生成する基準データ生成手段と、前記取得手段が取得した前記原稿からの反射光に基づき複数の色成分を有する画像データを生成する画像データ生成手段と、該画像データ生成手段が生成した画像データを、前記基準データ生成手段が生成した基準データに基づき各色成分毎に補正する補正手段とを備える画像読取装置において、
前記画像データ生成手段が生成した画像データから所定の色成分を抽出する抽出手段を備え、
前記補正手段は、前記基準データ生成手段が生成した基準データ及び前記抽出手段が抽出した所定の色成分に基づき、前記画像データ生成手段が生成した画像データを補正すべくなしてあることを特徴とする画像読取装置。
【請求項２】
前記抽出手段が抽出した色成分に基づき、前記基準データ生成手段が生成した基準データに含まれる各色成分を変更する変更手段を備え、
前記補正手段は、前記変更手段が変更した基準データに基づき、前記画像データ生成手段が生成した画像データを各色成分毎に補正すべくなしてあることを特徴とする請求項１に記載の画像読取装置。
【請求項３】
前記変更手段は、前記抽出手段が抽出した色成分と、前記画像データに含まれる各色成分に対応した所定値とに基づき、前記基準データ生成手段が生成した基準データに含まれる各色成分を変更する変更値を夫々算出すべくなしてあることを特徴とする請求項２に記載の画像読取装置。
【発明の詳細な説明】
【０００１】
【発明の属する技術分野】
本発明は、原稿載置台下に設けられた白基準板からの反射光により生成した基準データに基づき、読み取った画像データを補正する画像読取装置に関するものである。
【０００２】
【従来の技術】
モノクロ及びカラーの原稿画像を読み取り、読み取った画像データを記録シートに記録する複写機が普及しており、このような装置における画像読取装置は、載置ガラス等の原稿載置台上に載置された原稿に光を照射する光源と、原稿からの反射光の光路を変更するミラーと、前記光源及びミラーを移動させる移動機構と、光電変換素子を主走査方向に多数並べ、集光レンズを通してミラーからの光が入射されるＣＣＤ（Ｃｈａｒｇｅ　Ｃｏｕｐｌｅｄ　Ｄｅｖｉｃｅ　）ラインセンサ等とを備えている。
また、光源等を搭載したキャリッジを前記原稿載置台に沿って、副走査方向に移動させながら、主走査方向を長手方向とするＣＣＤラインセンサ（主走査方向と平行に配置されたＣＣＤラインセンサ）により１ラインずつ原稿画像の読み取りを行うように構成されている。
【０００３】
上述した複写機においては、１頁の画像を読み取る間に、光源の光量に変動が生じ、画像の明るさ及びカラーバランスが変動してしまうため、前記光源の光量の変動による原稿画像における明るさ等のばらつきを除去する必要があり、この光源における光量の変動を測定し、測定された光量の変動に基づいて、読み取った画像データを補正する構成を有する装置がある（例えば、特許文献１参照）。
また、原稿載置台の下部の、前記キャリッジの待機位置、即ち、キャリッジの移動開始位置の近傍に、白い板からなる白基準板を配置し、画像データの読み取り時において、前記白基準板からの反射光を取得し、この反射光による画像データを白基準データとして取得しておき、原稿画像データを取得した場合に、前記白基準データに基づき、前記原稿画像データを補正することにより、光源における光量の不均一性，ＣＣＤの各素子における感度のばらつき等を除去する装置がある（例えば、特許文献２参照）。尚、光源を消灯した状態で白基準板からの反射光を取得して黒基準データとし、該黒基準データと前記白基準データとに基づく補正処理を行う構成が一般的である。
【０００４】
【特許文献１】
特開平７−８７２８１号公報　（第３頁）
【特許文献２】
特許第２１３８６９４号明細書　（第２頁）
【０００５】
【発明が解決しようとする課題】
しかし、上述したように、光源における光量の変動を測定するためには、順次光源から照射される光の光量を測定しておく必要があり、また、この光源の光量は、測定する環境条件等に伴い変化するため、測定された光源の光量が適切でない場合が生じることがある。
一方、上述したように、白基準板からの反射光から生成された白基準データに基づき、取得した画像データを補正する複写機において、例えば、複数の色成分を有するカラー表示の原稿画像を読み取る場合、白基準板からの反射光から、各色成分の基準データを生成し、生成された各基準データに基づき、読み取った原稿画像データについて、各色成分毎に補正処理を行う必要があり、補正処理に用いる基準データを生成する回路が複雑化してしまうという問題があった。
【０００６】
また、上述した構成の画像読取装置における光源には、白色蛍光灯又は冷陰極管等が使用されており、これらの光源は、点灯後の所定時間経過後に最大光量に到達し、その後、温度の上昇とともに光量が低下していく傾向があり、例えば、原稿画像データを取得する前に生成された基準データに基づく補正処理を、１枚の原稿画像データに対して行った場合、１枚の原稿において、副走査方向の明るさ及びカラーバランスの不均一が生じ、原稿画像を正しく読み取れないという問題があった。
【０００７】
本発明は斯かる事情に鑑みてなされたものであり、白基準板からの反射光に基づき複数の色成分を有する基準データを生成しておき、読み取られた画像データから順次所定の色成分を抽出し、抽出された色成分及び予め生成してある基準データの各成分に基づき、原稿画像から読み取られた画像データに対して、各色成分毎に補正処理を行うことにより、副走査方向についての光源の光量の変動を含む画像データに基づく補正処理を実行する画像読取装置を提供することを目的とする。
【０００８】
本発明の他の目的は、読み取られた画像データから抽出された所定の色成分に基づき、予め生成された基準データの各色成分を変更し、変更された基準データに基づき、読み取られる画像データを各色成分毎に補正することにより、単純な回路構成にて、前記画像データから抽出された色成分に基づく基準データの各色成分の変更処理を可能とする画像読取装置を提供することにある。
【０００９】
本発明の更に他の目的は、読み取られた画像データから抽出された所定の色成分と、各色成分に対応した所定値とに基づき、予め生成してある基準データに含まれる各色成分を変更する変更値を算出し、算出された変更値に基づき変更された基準データにより読み取られる画像データの各色成分を補正することにより、副走査方向についての光源の光量の変動を反映させた基準データに基づき、読み取った画像データを補正する画像読取装置を提供することにある。
【００１０】
【課題を解決するための手段】
第１発明に係る画像読取装置は、原稿載置台下に設けられた白基準板と、該白基準板及び前記原稿載置台に載置された原稿を照射する光源と、該光源による前記白基準板及び原稿からの反射光を複数の色成分毎に取得する取得手段と、該取得手段が取得した前記白基準板からの反射光に基づき複数の色成分を有する基準データを生成する基準データ生成手段と、前記取得手段が取得した前記原稿からの反射光に基づき複数の色成分を有する画像データを生成する画像データ生成手段と、該画像データ生成手段が生成した画像データを、前記基準データ生成手段が生成した基準データに基づき各色成分毎に補正する補正手段とを備える画像読取装置において、前記画像データ生成手段が生成した画像データから所定の色成分を抽出する抽出手段を備え、前記補正手段は、前記基準データ生成手段が生成した基準データ及び前記抽出手段が抽出した所定の色成分に基づき、前記画像データ生成手段が生成した画像データを補正すべくなしてあることを特徴とする。
【００１１】
第１発明による場合は、白基準板からの反射光に基づき複数の色成分を有する基準データを生成しておき、読み取られた画像データから順次所定の色成分を抽出し、抽出された色成分及び予め生成してある基準データの各成分に基づき、原稿画像から読み取られた画像データに対して、各色成分毎に補正処理を行うことにより、副走査方向についての光源の光量の変動を含む画像データに基づく補正処理を実行でき、読み取った画像データの副走査方向の明るさ及びカラーバランスを均一にすることができる。
【００１２】
第２発明に係る画像読取装置は、第１発明に係る画像読取装置において、前記抽出手段が抽出した色成分に基づき、前記基準データ生成手段が生成した基準データに含まれる各色成分を変更する変更手段を備え、前記補正手段は、前記変更手段が変更した基準データに基づき、前記画像データ生成手段が生成した画像データを各色成分毎に補正すべくなしてあることを特徴とする。
【００１３】
第２発明による場合は、読み取られた画像データから抽出された所定の色成分に基づき、予め生成された基準データの各色成分を変更し、変更された基準データに基づき、読み取られる画像データを各色成分毎に補正することにより、抽出された色成分に基づき基準データの各色成分を変更するために必要な回路を簡略化することができる。
【００１４】
第３発明に係る画像読取装置は、第２発明に係る画像読取装置において、前記変更手段は、前記抽出手段が抽出した色成分と、前記画像データに含まれる各色成分に対応した所定値とに基づき、前記基準データ生成手段が生成した基準データに含まれる各色成分を変更する変更値を夫々算出すべくなしてあることを特徴とする。
【００１５】
第３発明による場合は、読み取られた画像データから抽出された所定の色成分と、各色成分に対応した所定値とに基づき、予め生成してある基準データに含まれる各色成分を変更する変更値を算出し、算出された変更値に基づき変更された基準データにより読み取られる画像データの各色成分を補正することにより、副走査方向についての光源の光量の変動を反映させた基準データに基づき、読み取った画像データを補正することができ、読み取った画像データの副走査方向の明るさ及びカラーバランスを均一にすることができる。
【００１６】
【発明の実施の形態】
以下に、本発明に係る画像読取装置を、該画像読取装置を備えるデジタルカラー複写機における実施の形態に基づいて詳述する。図１は本発明に係る画像読取装置を備えるデジタルカラー複写機の構成を示すブロック図であり、図中１はデジタルカラー複写機を示している。
このデジタルカラー複写機１は、制御部１０，ＲＯＭ１１，ＲＡＭ１２，画像読取装置２，表示部１３，操作部１４，画像メモリ１５，記録部１６等を備えている。
制御部１０は、具体的にはＣＰＵ（Ｃｅｎｔｒａｌ　Ｐｒｏｃｅｓｓｉｎｇ　Ｕｎｉｔ）　等で構成され、バスを介してデジタルカラー複写機１の上述したようなハードウェア各部と接続されており、それらを制御すると共に、ＲＯＭ１１に格納されたコンピュータプログラムに従って、種々のソフトウェア的機能を実行する。
【００１７】
ＲＯＭ１１は、本実施の形態に係るデジタルカラー複写機１の動作に必要な種々のコンピュータプログラムを記憶している。
ＲＡＭ１２は、ＳＲＡＭ又はフラッシュメモリ等で構成され、制御部１０による各プログラムの実行時に発生するデータを一時的に記憶する。尚、ＲＡＭ１２にフラッシュメモリを使用した場合には、停電，デジタルカラー複写機１の移動等のために電源が遮断された場合であっても、記憶内容が失われることはない。
【００１８】
表示部１３は、液晶ディスプレイ（ＬＣＤ）等で構成されており、デジタルカラー複写機１の動作状況、操作部１４から入力された文字等を表示する。
操作部１４は、デジタルカラー複写機１を操作するために必要な各種キーを備えている。尚、表示部１３をタッチパネル方式のものとすることにより、操作部１４の各種のキーのうちの一部又は全部を代用することも可能である。
【００１９】
画像メモリ１５は、ＤＲＡＭ等により構成されており、画像読取装置２により読み取られ、圧縮の処理を施された画像データを記憶する。
記録部１６は、電子写真方式のプリンタ装置であって、出力すべき画像データを、ハードコピーとしてＡ３縦，Ｂ４縦，Ａ４縦，Ｂ５横及びＡ５横等の各サイズの記録紙又はＯＨＰ（Ｏｖｅｒ　Ｈｅａｄ　Ｐｒｏｊｅｃｔｏｒ）　シートから最適なサイズのものを選択して記録する。
【００２０】
図２は画像読取装置２を示す外観斜視図であり、この画像読取装置２は、直方体型の筺体２１と、筺体２１上面の一辺に開閉自在に取り付けられたプラテンカバー２０と、筺体２１上面に設けられた長方形型の載置ガラス（原稿載置台）２２とを備えている。
この画像読取装置２は、ＦＢＳ（Ｆｌａｔ　Ｂｅｄ　Ｓｃａｎｎｅｒ）方式の読み取りが可能であるが、ＡＤＦ（Ａｕｔｏｍａｔｉｃ　Ｄｏｃｕｍｅｎｔ　Ｆｅｅｄｅｒ）　方式のスキャナを備えて、原稿を自動的に搬送して読み取ることも可能である。
【００２１】
また、ＦＢＳ方式で原稿を読み取る場合は、プラテンカバー２０を開けて原稿を載置ガラス２２上に載置し、プラテンカバー２０を閉じて、載置ガラス２２上に原稿が静止した状態で読み取りを行う。
図３は画像読取装置２の筺体２１の内部構成図であり、筺体２１の内部の構成を、図２の矢符Ａで示す方向から見た図を示している。筺体２１は、載置ガラス２２を備える上面板の内側に、矢符ｙで示す方向（副走査方向）での載置ガラス２２の一端辺（図２においては左側端辺）に沿って、白い板からなる白基準板３１が、長手方向を図２の矢符ｘで示す方向（主走査方向）に平行にして配置してある。
【００２２】
また、筺体２１の内部には、白色蛍光灯又は冷陰極管等からなり、載置ガラス２２上に載置された原稿に光を照射する光源２３と、原稿からの反射光の光路ｚを変更する板状の第１ミラー２４，第２ミラー２５及び第３ミラー２６とを、夫々所定の位置で、長手方向を主走査方向に平行に配置してある。
光源２３及び第１ミラー２４は、副走査方向に、載置ガラス２２の一端部から他端部までの移動が可能な第１キャリッジ２７に搭載されており、第２ミラー２５及び第３ミラー２６は、第１キャリッジ２７の移動に対応して、副走査方向に、載置ガラス２２の中央部から前記他端部までの移動を行う第２キャリッジ２８に搭載されている。
【００２３】
更に、筺体２１の内部には、第１ミラー２４，第２ミラー２５及び第３ミラー２６により光路ｚが変更された原稿からの反射光を集光する集光レンズ２９を備え、該集光レンズ２９を通して入射される前記反射光を取得する取得手段としてＣＣＤ（Ｃｈａｒｇｅ　Ｃｏｕｐｌｅｄ　Ｄｅｖｉｃｅ）　ラインセンサ３０も、長手方向を主走査方向に平行に配置してある。
このような構成により、画像読取装置２は、第１キャリッジ２７及び第２キャリッジ２８を副走査方向に移動させながら、主走査方向を長手方向としたＣＣＤラインセンサ３０により副走査方向に１ラインずつ原稿画像の読み取りを行う。
【００２４】
上述した構成により、主走査方向（図２において矢符ｘで示す方向）を長手方向として配置された第１キャリッジ２７は、載置ガラス２２上に載置された原稿（図示せず）の下面に沿って副走査方向に移動しながら、原稿により反射された反射光を第１ミラー２４により更に反射する。また、この反射光を第２ミラー２５及び第３ミラー２６により反射させて所定の光路ｚに変更し、この所定の光路ｚで入射された光を集光レンズ２９を介してＣＣＤラインセンサ３０が取得する。尚、本実施の形態において、ＣＣＤラインセンサ３０は、ＲＧＢ（Ｒ：赤，Ｇ：緑，Ｂ：青）表色系において、夫々Ｒ成分，Ｇ成分及びＢ成分に対応した反射光を取得すべく、３つのＣＣＤラインセンサ３０ａ，３０ｂ，３０ｃを備えており、夫々取得した光の大きさに基づきアナログ信号を生成し、このアナログ信号を図４に示すＡＦＥ（Ａｎａｌｏｇ　Ｆｒｏｎｔ　Ｅｎｄ：アナログ・フロント・エンド）３２ａ，３２ｂ，３２ｃに入力する。
【００２５】
ＣＣＤラインセンサ３０ａ，３０ｂ，３０ｃは、第１キャリッジ２７及び第２キャリッジ２８が移動を開始する所定時間前から、光源２３から照射された光を取得しており、これにより、筺体２１の上面内側に設けられた白基準板３１からの反射光も取得している。
従って、上述したように、ＣＣＤラインセンサ３０ａ，３０ｂ，３０ｃにより取得された反射光には、載置ガラス２２上に載置された原稿からの反射光及び白基準板３１からの反射光が含まれており、このＣＣＤラインセンサ３０ａ，３０ｂ，３０ｃにより取得された反射光を後述するＡＦＥ３２ａ，３２ｂ，３２ｃ及びＡ／Ｄ変換器３３ａ，３３ｂ，３３ｃに入力することにより、ＡＦＥ３２ａ，３２ｂ，３２ｃ及びＡ／Ｄ変換器３３ａ，３３ｂ，３３ｃは、原稿からの反射光に基づく原稿画像データを生成する画像データ生成手段、及び白基準板３１からの反射光に基づく基準データを生成する基準データ生成手段として動作し、原稿画像データ及び基準データを含んだデジタル信号を生成する。
【００２６】
図４は画像読取装置２の構成を示すブロック図であり、この画像読取装置２は、ＣＣＤラインセンサ３０ａ，３０ｂ，３０ｃと、ＡＦＥ３２ａ，３２ｂ，３２ｃと、Ａ／Ｄ（アナログ／デジタル）変換器３３ａ，３３ｂ，３３ｃと、シェーディング補正部（補正手段）３５ａ，３５ｂ，３５ｃと、減算器３７ａ，３７ｂ，３７ｃとを、ＲＧＢ表色系におけるＲ成分，Ｇ成分及びＢ成分毎に備えている。また、画像読取装置２は、ライン補正部３４と、シェーディングデータメモリ３８と、変更値算出部３６とを備えている。
上述したように、画像読取装置２において、ＣＣＤラインセンサ３０ａ，３０ｂ，３０ｃは、第１ミラー２４，第２ミラー２５及び第３ミラー２６により反射された反射光を、Ｒ成分，Ｇ成分及びＢ成分夫々のアナログ信号に変換し、変換したアナログ信号を夫々ＡＦＥ３２ａ，３２ｂ，３２ｃに入力する。
【００２７】
ＡＦＥ３２ａ，３２ｂ，３２ｃは夫々、増幅回路（図示せず），サンプルホールド回路（図示せず）等を備え、ＣＣＤラインセンサ３０ａ，３０ｂ，３０ｃにより出力されたアナログ信号を、夫々増幅回路により所定の大きさに増幅し、この増幅されたアナログ信号を、サンプルホールド回路により一定のタイミング毎にサンプルホールドし、この各値をＡ／Ｄ変換器３３ａ，３３ｂ，３３ｃに入力する。
Ａ／Ｄ変換器３３ａ，３３ｂ，３３ｃは、ＡＦＥ３２ａ，３２ｂ，３２ｃから取得したアナログ信号をデジタル信号に変換し、ライン補正部３４に入力する。
尚、本実施の形態においては、Ａ／Ｄ変換器３３ａ，３３ｂ，３３ｃは、８ビットのデジタル信号を出力しており、このデジタル信号には、原稿からの反射光に基づく原稿画像データ及び白基準板３１からの反射光に基づく基準データが含まれている。
【００２８】
ライン補正部３４は、画像データの各画素におけるＲ成分，Ｇ成分及びＢ成分の出力タイミングのばらつきを除去し、各色成分のラインの同期をとり、夫々シェーディング補正部３５ａ，３５ｂ，３５ｃに入力する。またライン補正部３４は、所定の成分、本実施の形態では、Ｇ成分を抽出する抽出手段としても動作し、抽出したＧ成分を変更値算出部３６に入力する。
シェーディング補正部３５ａ，３５ｂ，３５ｃは、取得したデジタル信号に含まれる原稿画像データに対して、画像読取装置２に含まれる照明系，結像系及び撮像系で生じた各種の歪みを取り除く補正処理を行い、補正された画像データを圧縮して画像メモリ１５に記憶させる。
【００２９】
シェーディングデータメモリ３８は、ライン補正部３４により所定の処理を施されたデジタル信号に含まれる基準データに基づき生成された、シェーディング補正部３５ａ，３５ｂ，３５ｃにより行われる補正処理に用いるシェーディングデータを記憶する。
ここで、光源２３は、白色蛍光灯又は冷陰極管等により構成されており、点灯後、所定時間経過後に最大光量に到達し、その後、温度の上昇とともに光量が低下していく傾向があるため、本実施の形態におけるシェーディングデータは、光源２３からの光が最大光量である光による白基準板からの反射光に基づき生成される。
【００３０】
また、上述のように、光源２３からの光が最大光量である光に基づき生成されたシェーディングデータを、光源２３の光量の減衰に基づき変更することにより、副走査方向における光源２３の光量の変動を考慮したシェーディング補正処理を実行することができ、前記シェーディングを変更すべき変更値を、変更値算出部３６により算出する。
変更値算出部３６がライン補正部３４から順次取得する画像データにおけるＧ成分は、光源２３の副走査方向における光量のばらつき（減衰）を含んでおり、順次取得するＧ成分について、副走査方向に所定数のＧ成分の平均値を算出し、この平均値に基づき、次の所定数のラインについて、シェーディング補正部３５ａ，３５ｂ，３５ｃが夫々行う補正処理に用いるシェーディングデータを変更させるための変更値を算出する。
【００３１】
尚、変更値算出部３６は、上述のように算出された、画像データの副走査方向に所定数のＧ成分の平均値に基づき、原稿画像データのＲ成分，Ｇ成分，Ｂ成分夫々に対応した重みを乗算することにより、シェーディング補正部３５ａ，３５ｂ，３５ｃにおいて行うシェーディング補正処理に用いるシェーディングデータを変更するための変更値を算出する。
ここで、原稿画像データにおける輝度情報は、以下の（１）式により表されることが多く、これにより、本実施の形態における変更値算出部３６は、ライン補正部３４から出力されるＧ成分のデジタル信号に基づき、シェーディングデータを変更すべく変更値を算出するが、Ｇ成分に限るわけではない。
【００３２】
Ｙ＝１．００００×Ｒ＋４．５９０７×Ｇ＋０．０６０１×Ｂ　…（１）
【００３３】
シェーディングデータメモリ３８に記憶されたシェーディングデータ及び変更値算出部３６により算出された変更値は、夫々減算器３７ａ，３７ｂ，３７ｃに入力され、減算器３７ａ，３７ｂ，３７ｃは、取得したシェーディングデータが示す値から変更値を減算する変更手段として動作し、算出した減算値をシェーディング補正部３５ａ，３５ｂ，３５ｃに入力する。これにより、各減算器３７ａ，３７ｂ，３７ｃにより夫々算出された減算値に基づき、シェーディング補正部３５ａ，３５ｂ，３５ｃが、ライン補正部３４から取得した画像データの各成分に対して、補正処理を実行する。
シェーディング補正部３５ａ，３５ｂ，３５ｃによりシェーディング補正処理を施された各Ｒ成分，Ｇ成分及びＢ成分は夫々、画像メモリ１５に入力されて記憶される。
【００３４】
上述のように、光源２３による白基準板３１からの反射光に基づくシェーディングデータを、順次取得する画像データに含まれるＧ成分に基づき算出した、前記画像データのＲ成分，Ｇ成分，Ｂ成分夫々に対する変更値により変更することにより、副走査方向における光源２３の光量の減衰に基づくシェーディングデータを生成することができ、このシェーディングデータに基づくシェーディング補正処理を行うことにより、副走査方向における光源２３の光量のばらつきも同時に補正することができる。
【００３５】
なお、本実施の形態では、ライン補正部３４の後にシェーディング補正部３５ａ，３５ｂ，３５ｃを設けており、各成分のデータはラインの同期がすでにとれているため、一つの成分を用いて他の色成分のシェーディングデータの変更が行え、回路を簡略化することができる。また、ライン補正部３４の後にシェーディング補正部３５ａ，３５ｂ，３５ｃを設けることにより、一つの成分について副走査方向の平均値をとるのも容易となる。ライン補正部３４には、数ライン分のデータが格納されているからである。
【００３６】
【発明の効果】
第１発明による場合は、白基準板からの反射光に基づき複数の色成分を有する基準データを生成しておき、読み取られた画像データから順次所定の色成分を抽出し、抽出された色成分及び予め生成してある基準データの各成分に基づき、原稿画像から読み取られた画像データに対して、各色成分毎に補正処理を行うことにより、副走査方向についての光源の光量の変動を含む画像データに基づく補正処理を実行でき、読み取った画像データの副走査方向の明るさ及びカラーバランスを均一にすることができる。
【００３７】
第２発明による場合は、読み取られた画像データから抽出された所定の色成分に基づき、予め生成された基準データの各色成分を変更し、変更された基準データに基づき、読み取られる画像データを各色成分毎に補正することにより、抽出された色成分に基づき基準データの各色成分を変更するために必要な回路を簡略化することができる。
【００３８】
第３発明による場合は、読み取られた画像データから抽出された所定の色成分と、各色成分に対応した所定値とに基づき、予め生成してある基準データに含まれる各色成分を変更する変更値を算出し、算出された変更値に基づき変更された基準データにより読み取られる画像データの各色成分を補正することにより、副走査方向についての光源の光量の変動を反映させた基準データに基づき、読み取った画像データを補正することができ、読み取った画像データの副走査方向の明るさ及びカラーバランスを均一にすることができる。
【図面の簡単な説明】
【図１】本発明に係る画像読取装置を備えるデジタルカラー複写機の構成を示すブロック図である。
【図２】画像読取装置を示す外観斜視図である。
【図３】画像読取装置の筺体の内部構成図である。
【図４】画像読取装置の構成を示すブロック図である。
【符号の説明】
１　デジタルカラー複写機
２　画像読取装置
２３　光源
３０ａ，３０ｂ，３０ｃ　ＣＣＤラインセンサ（取得手段）
３１　白基準板
３５ａ，３５ｂ，３５ｃ　シェーディング補正部（補正手段）
【図１】
2004134987.tif 000003
【図２】
2004134987.tif 000004
【図３】
2004134987.tif 000005
【図４】
2004134987.tif 000006